(57)【特許請求の範囲】
【請求項１】
ファスナーテープ１の一側縁５から経糸複数本おいた内側の経糸２に水溶性繊維糸４を配して織成し、水溶性繊維糸４を溶解して経糸２を除去した経糸排除領域１２を設け、該経糸排除領域１２に合成樹脂を用いて噛合頭部１４と脚部１５とを一体成形したファスナーエレメント１３の脚部１５を貫設し、ファスナーエレメント１３の噛合頭部１４をファスナーテープ１の一側縁５から外側へ突設してなることを特徴とするスライドファスナー用ストリンガー。
【請求項２】
ファスナーテープ１の側縁５と経糸排除領域１２との間に芯紐６を配してなる請求項１記載のスライドファスナー用ストリンガー。
【請求項３】
芯紐６と経糸排除領域１２との間に経糸２を介在してなる請求項２記載のスライドファスナー用ストリンガー。
【請求項４】
脚部１５は経糸排除領域１２に残存する緯糸３を表裏面で跨乗し、脚部先端部１６を経糸２に付着させてなる請求項１記載のスライドファスナー用ストリンガー。
【発明の詳細な説明】
【技術分野】
【０００１】
この発明は、スライドファスナーにおけるファスナーエレメントを装着する部分に間隙部分を形成したファスナーテープにファスナーエレメントを成形したスライドファスナーの素材であるファスナーストリンガーに関するものである。
【背景技術】
【０００２】
従来、ファスナーテープの側縁に沿って貫通孔を設け、この貫通孔部分に熱可塑性樹脂製のファスナーエレメントを射出成形加工によって取り付けたスライドファスナーが知られている。例えば図９に示すように、ポリエステル繊維糸またはポリエステル繊維と天然繊維との混紡糸を経糸と緯糸に用いてファスナーテープを織成し、このテープの所定位置に超音波加工によって等間隔で貫通孔を穿孔し、貫通孔の内周面は溶着凝固面として形成され、この貫通孔にポリアミド樹脂のファスナーエレメントを射出成形加工によって形成し、ファスナーエレメントの上下脚部は貫通孔を介して連結されたスライドファスナーが知られている。
【特許文献１】実公昭６１−３５０４９号公報
【発明の開示】
【発明が解決しようとする課題】
【０００３】
前述の図９に示すスライドファスナーは、ファスナーテープに熱可塑性樹脂のファスナーエレメントを射出成形加工によって取り付けるものであり、その手順、工程が複雑で作製に時間を要し、面倒である。たとえばファスナーテープには必ず合成繊維糸を用いなければならない。また貫通孔を穿孔するのに、特殊な装置が必要であり、溶着凝固させるのに時間がかかり、かつファスナーエレメントを射出成形する際には、位置合わせを正確に行わなければならないから面倒であるなど問題点がある。
【０００４】
この発明は、上述の問題点を考慮して発明されたものであり、請求項１記載の発明は、ファスナーテープに用いる糸は必ずしも合成繊維糸を用いる必要がなく、綿糸であってもよい。ファスナーテープの一側縁から一定の位置内側で所定の幅で経糸を除去した空隙部分すなわち緯糸のみが残存する目の粗い経糸排除領域を形成し、この経糸排除領域に熱可塑性樹脂製のファスナーエレメントを成形したスライドファスナー用ストリンガーを提供することが主たる目的である。
【０００５】
請求項２乃至４記載の発明は、それぞれ請求項１記載の発明の目的に加え、熱可塑性樹脂製のファスナーエレメントをファスナーテープに体裁よくかつ強固に成形加工によって取付けたスライドファスナー用ストリンガーを提供することが目的である。
【課題を解決するための手段】
【０００６】
前記の目的を達成するため、この発明のうち請求項１記載の発明は、ファスナーテープ１の一側縁５から経糸複数本おいた内側に経糸２を除去した経糸排除領域１２を設け、噛合頭部１４と脚部１５とを熱可塑性樹脂を用いて一体成形してファスナーエレメント１３を形成し、このファスナーエレメント１３の脚部１５を経糸２を除去した経糸排除領域を表裏へ貫いて設け、ファスナーエレメント１３の噛合頭部１４をファスナーテープ１の一側縁５より外側へ突出する形に設けたスライドファスナー用ストリンガーを主な構成とするものである。
【０００７】
請求項２記載の発明は、請求項１記載の発明の構成に加え、ファスナーテープ１の一側縁５と経糸を除去した経糸排除領域１２との間にファスナーエレメント固定用の芯紐６を配設したスライドファスナー用ストリンガーである。
【０００８】
請求項３記載の発明は、請求項２記載の発明の構成に加え、ファスナーエレメント固定用の芯紐６と経糸を除去した経糸排除領域１２との間に経糸２を介在したスライドファスナー用ストリンガーである。
【０００９】
請求項４記載の発明は、請求項１記載の発明の構成に加え、ファスナーエレメント１３の脚部１５は経糸を除去した経糸排除領域１２に残存する緯糸３を表裏面で跨るように形成し、脚部１５の先端部１６をファスナーテープ１の内側の経糸２に付着させたスライドファスナー用ストリンガーである。
【発明の効果】
【００１０】
この出願の発明の効果として、請求項１記載の発明は、ファスナーテープの一側縁から経糸複数本おいた内側の経糸に水溶性繊維糸を配して織成し、水溶性繊維糸を溶解して経糸を除去した経糸排除領域を設け、該経糸排除領域に合成樹脂を用いて噛合頭部と脚部とを一体成形したファスナーエレメントの脚部を貫設し、ファスナーエレメントの噛合頭部をファスナーテープの一側縁から外側へ突設したことによって、下記の効果を奏する。
【００１１】
ファスナーテープの一側縁に所定の間隔で経糸を除去した個所、すなわち経糸排除領域の織り組織を安定した状態で空間部分を的確に作製することができ、この空間部分を利用して、一体成形のファスナーエレメントの脚部を表裏に貫通してファスナーテープに強固に取り付け、脚部と一体の噛合頭部はファスナーテープの側縁から正確に突出させることができ、品質のよいファスナーストリンガーに仕上げることができる効果がある。
【００１２】
請求項２記載の発明は、請求項１記載の発明の効果に加え、ファスナーテープの一側縁と経糸排除領域との間に芯紐を配したことによって、ファスナーテープの側縁へ熱可塑性樹脂または亜鉛合金などの金属からなるファスナーエレメントを強固に成形固定することができる効果がある。
【００１３】
請求項３記載の発明は、請求項２記載の発明の効果に加え、芯紐と経糸排除領域との間に経糸を介在したことによって、ファスナーテープの側縁へ配した芯紐が目ずれを惹起せず安定した状態で保持でき、熱可塑性樹脂または亜鉛合金などの金属のファスナーエレメントを的確に成形し、強度のあるファスナーストリンガーに仕上げることができる効果がある。
【００１４】
請求項４記載の発明は、請求項１記載の発明の効果に加え、脚部は経糸排除領域に残存する緯糸を表裏面で跨乗し、脚部先端部を経糸に付着させたことによって、ファスナーエレメントの脚部が整然と配された緯糸に密着させ、かつ先端は排除領域に面した経糸に密着し、脚部の移動を防ぎ頑丈なファスナーストリンガーに仕上げることができる効果がある。
【発明を実施するための最良の形態】
【００１５】
この発明におけるスライドファスナー用ストリンガーについて説明すると、スライドファスナー用ストリンガーは、図１に示すようにポリエステル繊維あるいはポリアミド繊維のマルチフィラメントを経糸２および緯糸３に用い、緯糸３はダブルピックでニードル織成によってファスナーテープ１を作製する。このファスナーテープ１は一側縁５から経糸２複数本おいた内側に経糸２がない部分、すなわち経糸２を除去した経糸排除領域１２を形成し、この経糸排除領域は複数本の経糸２を除去し緯糸３のみが残存する。経糸排除領域１２にはポリアミド、ポリアセタールなどの熱可塑性樹脂を用いて射出成形加工によってファスナーエレメント１３の脚部１５を残存する緯糸３上に表裏密着する形に一定ピッチで成形して図７に示すファスナーストリンガーを作製する。また経糸排除領域１２に亜鉛合金またはアルミニウム合金などの金属を用いてダイカスト成形加工によってファスナーエレメント１３を形成しファスナーストリンガーを作製する。なお、一側縁５から経糸排除領域１２間に存在する複数本の経糸２は、経糸排除領域１２に成形するファスナーエレメント１３によって被覆し成形されるので、十分な取り付け強度によって固定される。
【００１６】
ファスナーテープ１に経糸排除領域１２を形成する手段は、ファスナーテープ１を図２に示すようにテープ１の一側縁５から経糸２を複数本おいた内側に、経糸２として水溶性繊維糸４、例えば水溶性ビニロンを複数本配して織成する。また図４，６に示す芯紐６を配したタイプのファスナーテープ１を織成することもできる。織成されたファスナーテープ１は製造過程における染色工程において水溶性繊維糸４としての経糸が染色液中に溶解して取り除かれ経糸排除領域１２が形成される。
【００１７】
スライドファスナー用ストリンガーの製造については、最初に図２に示すファスナーテープ１を経糸２と緯糸３とによりダブルピックでニードル織成し、このときファスナーテープ１の側縁５から経糸２を複数本おいた内側に経糸２として水溶性繊維糸４を複数本配して織成する。この織成工程においては図４，６に示す芯紐６を用いたタイプのファスナーテープ１を織成することもできる。次に織成されたファスナーテープ１を乾熱によって熱処理するヒートセット工程でファスナーテープ１における目ずれなどを防ぎ形態の安定化を図る。この後ファスナーテープ１は染色工程に送られ、染色液の中へファスナーテープ１を通して水溶性繊維糸４を染色液中に溶解させ、ファスナーテープ１に経糸２が存在しない経糸排除領域１２を形成する。
【００１８】
経糸排除領域１２を形成したファスナーテープ１は次に成形工程へ送られ、経糸排除領域１２にポリアセタール、ポリアミドなどの熱可塑性樹脂を用いて射出成形加工によってファスナーエレメント１３を一定ピッチで成形して図７に示すファスナーストリンガーを作製する。ファスナーストリンガーの製造については、織成工程、ヒートセット工程、染色工程、成形工程を経てファスナーストリンガーが作製される。作製されたファスナーストリンガーは所定の長さにカットし、左右のファスナーストリンガーに上下止め具または開き具を取り付け、スライダーを挿通して、各種タイプのスライドファスナーに仕上げるものである。
【実施例１】
【００１９】
図１に示す実施例１のスライドファスナー用ストリンガーは、ポリエステル繊維またはポリアミド繊維のマルチフィラメント糸から形成した経糸２と緯糸３とによって織成する。緯糸３はダブルピックのニードル織成でファスナーテープ１を作製し、ファスナーテープ１は側縁５から経糸２複数本おいた内側に緯糸３のみが存在する経糸排除領域１２を経糸２複数本を除去した緯糸３残存部分を設ける。この経糸排除領域１２にポリアセタールまたはポリアミドなどの熱可塑性樹脂を用いて適宜形状のファスナーエレメント１３を射出成形する。ファスナーエレメント１３は噛合頭部１４がファスナーテープ１の側縁５から外側へ突出し、脚部１５および脚部先端部１６が経糸排除領域１２に存在する緯糸３および経糸排除領域１２に面した経糸２を表裏から密着する形で成形し固定して図７に示すファスナーストリンガーを形成する。
【００２０】
ファスナーテープ１は、図２に示すように経糸２およびダブルピックの緯糸３は太さが３３０デシテックスで適宜の織組織、例えば杉綾組織で織成する。ファスナーテープ１の側縁５から経糸２数本おいた内側に１２２０デシテックスの水溶性ビニロンからなる水溶性繊維糸４を複数本経糸として配したものである。この水溶性繊維糸４は７０℃の水中で溶解できるので、ファスナーテープ１を染色する段階で溶解する。
【実施例２】
【００２１】
図３に示す実施例２のスライドファスナー用ストリンガーは、ポリエステル繊維またはポリアミド繊維のマルチフィラメント糸から形成した経糸２と緯糸３とによって織成する。緯糸３はダブルピックのニードル織成でファスナーテープ１を作製し、ファスナーテープ１は側縁５に径の太い芯紐６を織り込む。芯紐６は芯部に数本のポリエステル繊維またはポリアミド繊維のマルチフィラメント糸を用い、その周囲を同種のマルチフィラメント糸で編組して芯紐６を作製する。ファスナーテープ１はこの芯紐６に隣接して緯糸３のみが存在する経糸排除領域１２を経糸２複数本に相当する部分に設ける。この経糸排除領域１２にポリアセタールまたはポリアミドなどの熱可塑性樹脂を用いて適宜形状のファスナーエレメント１３を射出成形する。
【００２２】
ファスナーエレメント１３は噛合頭部１４がファスナーテープ１の外縁５から外側へ突出し、脚部１５は芯紐６を包囲し、かつ脚部１５および先端部１６が経糸排除領域１２に存在する緯糸３および経糸排除領域１２に面した経糸２を表裏から密着する形で成形し固定して、図７に示すファスナーストリンガーを形成する。ファスナーテープ１は図４に示すように、側縁５に配した芯紐６に隣接して水溶性繊維糸４の水溶性ビニロンを複数本経糸として配したものである。
【実施例３】
【００２３】
図５に示す実施例３のスライドファスナー用ストリンガーは、ポリエステル繊維またはポリアミド繊維のマルチフィラメント糸から形成した経糸２と緯糸３とによって織成する。緯糸３はダブルピックのニードル織成によってファスナーテープ１を作製し、ファスナーテープ１は側縁５に径の細い芯紐６を表裏両面へ織り込む、芯紐６は芯部に１本のポリエステル繊維またはポリアミド繊維のマルチフィラメント糸を用い、その周囲を同種のマルチフィラメント糸で編組して芯紐６を作製する。ファスナーテープ１は、この芯紐６に隣接して経糸２を配し、この経糸２に隣接して緯糸３のみが存在する経糸排除領域１２を経糸２複数本に相当する部分に設ける。この経糸排除領域１２にポリアセタールまたはポリアミドなどの熱可塑性樹脂を用いて適宜形状のファスナーエレメント１３を射出成形する。ファスナーエレメント１３は噛合頭部１４がファスナーテープ１の側縁５から外側へ突出し、脚部１５は芯紐６を包囲し、かつ脚部１５および先端部１６が経糸排除領域１２に存在する緯糸３および経糸排除領域１２に面した内側の経糸２を表裏から密着する形で成形し固定して図７に示すファスナーストリンガーを形成する。ファスナーテープ１は図６に示すように側縁５の表裏に配した芯紐６に隣接して水溶性繊維糸４の水溶性ビニロンを複数本経糸として配したものである。
【産業上の利用可能性】
【００２４】
この発明のスライドファスナー用ストリンガーは、熱可塑性樹脂などをテープ側縁に対して射出成形してファスナーエレメントを形成し、エレメントは脚部がテープを貫通する状態であり、堅牢なスライドファスナーに仕上げられ、衣服は勿論、力が加わる商品バッグその他各種のケースなどのスライドファスナーとして活用する。
【図面の簡単な説明】
【００２５】
【図１】ファスナーテープで経糸排除領域にファスナーエレメントを成形した状態の正面図である。
【図２】水溶性繊維糸を配したファスナーテープの正面図である。
【図３】ファスナーテープで経糸排除領域にファスナーエレメントを成形した状態の正面図である。
【図４】芯紐を配したファスナーテープの正面図である。
【図５】ファスナーテープで経糸排除領域にファスナーエレメントを成形した状態の正面図である。
【図６】他の芯紐を配したファスナーテープの正面図である。
【図７】ファスナーストリンガーの正面図である。
【図８】ファスナーテープの経糸排除領域を示す正面図である。
【図９】公知のファスナーテープの正面図である。
【符号の説明】
【００２６】
１            ファスナーテープ
２            経糸
３            緯糸
４            水溶性繊維糸
５            側縁
６            芯紐
１２            経糸排除領域
１３            ファスナーエレメント
１４            噛合頭部
１５            脚部
１６            脚部先端部
【図１】
0004312676.tif 000002
【図２】
0004312676.tif 000003
【図３】
0004312676.tif 000004
【図４】
0004312676.tif 000005
【図５】
0004312676.tif 000006
【図６】
0004312676.tif 000007
【図７】
0004312676.tif 000008
【図８】
0004312676.tif 000009
【図９】
0004312676.tif 000010